(57)【要約】【課題】学習机等の学習家具に設け、照明器具やコンセントに接続した電気機器に電力を供給するための給電装置であり、上下幅が狭い空間に取付けることが可能であるとともに、複数の電気機器に電力を安全に供給することが可能な学習家具の給電装置を提供する。【解決手段】ボックス体１の正面側にはスイッチ２とブレーカー３を設けるとともに、ボックス体の一側面側に正面方向へ傾斜した面を階段状に複数形成し且つ傾斜面４にそれぞれコンセント５の差込口５Ａを１個設け、ボックス体の他側面側を取付面６とした。【選択図】        図２
2004336829.tif 000002
【特許請求の範囲】
【請求項１】
学習机等の学習家具の適所に設け、照明器具やコンセントに接続した電気機器に電力を供給するための給電装置であって、ボックス体の正面側にはスイッチとブレーカーを設けるとともに、該ボックス体の一側面側に正面方向へ傾斜した面を階段状に複数形成し且つ該傾斜面にそれぞれコンセントの差込口を１個設け、該ボックス体の他側面側を取付面としたことを特徴とする学習家具の給電装置。
【請求項２】
前記ボックス体の背面側に、給電用電線と、前記スイッチによって入切制御された照明器具用のコンセントの差込口を設けてなる請求項１記載の学習家具の給電装置。
【請求項３】
学習机の後部に設けた机上棚の側板内面に、前記ボックス体の取付面を当接した状態で取付けてなる請求項１又は２記載の学習家具の給電装置。
【請求項４】
前記学習机の天板と前記机上棚の最下方の棚板との間の空間であって、前記机上棚の側板内面に前記ボックス体を取付けてなる請求項３記載の学習家具の給電装置。
【発明の詳細な説明】
【０００１】
【発明の属する技術分野】
本発明は、学習家具の給電装置に係わり、更に詳しくは学習机やライティングデスク等の学習家具に設けた照明器具やコンセントに接続した電気機器に電力を供給するための学習家具の給電装置に関するものである。
【０００２】
【従来の技術】
従来から、学習机やライティングデスク等の学習家具に、照明器具やコンセントに接続した電気機器に電力を供給するための給電装置として、スイッチやコンセントを内蔵したボックス体を取付け、プラグをコンセントの差込口に接続した際に、該プラグが突出したり、プラグから延びたコードが邪魔にならないように工夫したものが提供されている。
【０００３】
例えば、特許文献１には、ボックス体の一面に形成した操作パネル面にスイッチとブレーカーを備え、該操作パネル面よりも後退した位置に法線方向が外側へ向いた傾斜面を形成し、該傾斜面に単又は複数のコンセントの差込口を設け、前記傾斜面を設けた側とは反対側のボックス体の面を平面状の当接面とし、該当接面を学習机の後部に設けた机上棚の垂直板面又は水平板面に当接し且つ操作パネル面を正面に向けて着脱自在に取付けてなる学習家具の給電装置が開示されている。
【０００４】
また、特許文献２には、コンセントボックス内部にプラグの接続口を設けるとともに、前記コンセントボックスの深さが、前記接続口に前記プラグを接続した状態で、前記コンセントボックスの埋め込み壁面より突出しないように設定され、更に前記コンセントボックス内の前記接続口は、前記埋め込み壁面に対して斜めに設けられている壁埋込コンセントが開示されている。
【０００５】
しかし、特許文献１の場合、一つの傾斜面に二つのコンセントの差込口を上下に設けているため、ボックス体の上下寸法が大きくなり、学習机の天板と机上棚の最下方の棚板との間の空間に取付ける場合、該空間を広く設けなければならず、更に机上棚の下部に引出しを設けた場合にはその下方に取付けることは不可能であった。尚、特許文献２の場合は、もともと壁に埋め込むタイプのコンセントボックスであるので、ボックス体の内部にコンセントの差込口が設けられ、しかもスイッチやブレーカーは全く存在しないものであり、学習家具の給電装置として用いることができず、しかも本発明とは技術分野が大きく異なるものである。
【０００６】
【特許文献１】特開２０００−２９５７４６号公報（図１、図２、図５）
【特許文献２】特開平１１−２６１１５号公報（図１、図２）
【０００７】
【発明が解決しようとする課題】
本発明が前述の状況に鑑み、解決しようとするところは、学習机等の学習家具に設け、照明器具やコンセントに接続した電気機器に電力を供給するための給電装置であり、上下幅が狭い空間に取付けることが可能であるとともに、複数の電気機器に電力を安全に供給することが可能な学習家具の給電装置を提供する点にある。
【０００８】
【課題を解決するための手段】
本発明は、前述の課題解決のために、学習机等の学習家具の適所に設け、照明器具やコンセントに接続した電気機器に電力を供給するための給電装置であって、ボックス体の正面側にはスイッチとブレーカーを設けるとともに、該ボックス体の一側面側に正面方向へ傾斜した面を階段状に複数形成し且つ該傾斜面にそれぞれコンセントの差込口を１個設け、該ボックス体の他側面側を取付面とした学習家具の給電装置を構成した。
【０００９】
更に、前記ボックス体の背面側に、給電用電線と、前記スイッチによって入切制御された照明器具用のコンセントの差込口を設けてなることが好ましい。
【００１０】
そして、学習机の後部に設けた机上棚の側板内面に、前記ボックス体の取付面を当接した状態で取付けてなるのである。この場合、前記学習机の天板と前記机上棚の最下方の棚板との間の空間であって、前記机上棚の側板内面に前記ボックス体を取付けるとより効果が顕著である。
【００１１】
【発明の実施の形態】
次に本発明の実施の形態を添付図面に基づき更に詳細に説明する。図１〜図３は、本発明の学習家具の給電装置の代表的実施形態を示し、図中符号Ａは学習机、Ｂは学習机Ａの天板上に固定する机上棚、Ｃは机上棚Ｂに設けた給電装置、１はボックス体、２はスイッチ、３はブレーカー、４は傾斜面、５はコンセント、６は取付面、７は給電用電線、８は照明器具用のコンセントをそれぞれ示している。
【００１２】
本発明に係る給電装置Ｃは、図２及び図３に示すように、ボックス体１の正面側にはスイッチ２とブレーカー３を設けるとともに、該ボックス体１の一側面側に正面方向へ傾斜した面を階段状に複数形成し且つ該傾斜面４，…にそれぞれコンセント５の差込口５Ａを１個設け、該ボックス体１の他側面側を取付面６としたものである。更に、前記ボックス体１の背面側に、給電用電線７と、前記スイッチ２によって入切制御された照明器具用のコンセント８の差込口８Ａを設けている。
【００１３】
ここで、前記スイッチ２とブレーカー３を設けた面（制御面９）は、前記取付面６の前端から側方へ延び、やや後方へ湾曲しながら後退した面となっており、前記スイッチ２は使用頻度が高いので、前記取付面６から離れた制御面９の右側端部寄りで操作がし易い位置に設け、一方、前記ブレーカー３は使用頻度が低いので、前記取付面６に近い制御面９の左側端部寄りに設けている。尚、前記制御面９は、複数の平面を角度を持たせて連続させた形状としても良く、その場合には二つの平面にそれぞれスイッチ２とブレーカー３を設ける。
【００１４】
また、前記ボックス体１の背面側に設けた照明器具用のコンセント８の差込口８Ａは、背面側へ傾斜した傾斜面１０に臨ませて設けている。通常、机上棚Ｂに設けた照明器具１１に接続されるコード（図示せず）は、机上棚Ｂの背面を通り、背板１２の下端部に開口したコード挿通孔１３を通して正面側へ引き出され、前記給電装置Ａの照明器具用のコンセント８の差込口８Ａに接続されるので、そのコードの引き回しやプラグの差込口８Ａへの差込操作性の観点から前記傾斜面１０に照明器具用のコンセント８の差込口８Ａを設けたのである。
【００１５】
前記ボックス体１は、合成樹脂製の成形品であり、詳細は図示しないが、内部に前記スイッチ２、ブレーカー３、コンセント５、８を保持可能な保持部を一体成形するとともに、スイッチ２やブレーカー３、更に差込口５Ａ、８Ａを嵌挿して表面に出現させる開口を形成したものである。また、前記取付面６には、中央部に固定ネジ１４を螺合するタップ筒１５を内方へ延設するとともに、前方寄りに突起１６を形成している。そして、前記机上棚Ｂの側板１７の内面側に設けた凹部１８に前記突起１６を嵌合して位置決めするとともに、外側から貫通孔１９に前記固定ネジ１４を挿通し、その先端をタップ筒１５に螺合して前記取付面６を側板１７の内側面に引き付けて取付ける。ここで、前記突起１６は単にボックス体１の位置決めのためだけではなく、取付状態のボックス体１の回転止めの働きをもするので、十分な剪断強度を有するものとしている。
【００１６】
また、前記ボックス体１の階段状の傾斜面４，…にそれぞれコンセント５の差込口５Ａを１個設けることにより、前記差込口５Ａが正面側を向いて前方側方から電気機器のプラグを差し込む作業が容易になるばかりでなく、該ブックス体１の上下寸法を最小限に抑制することができるので、狭い空間にも取付けることができ、更に傾斜面４，…にコンセント５，…を取付けたので、前記スイッチ２と干渉しないで横幅寸法を小さくできたのである。本実施形態では、前記傾斜面４は正面に対して略７０°（６５°〜７５°）の角度に設定してあり、それによりスイッチ２、ブレーカー３、３個のコンセント５、１個の照明器具用コンセント８を内蔵したボックス体１は、横幅が略６０ｍｍ、奥行幅が略１２０ｍｍ、高さが略３５ｍｍとコンパクトにできた。特に、ボックス体１の高さは、コンセント５を１個設けるのに最小限の寸法となって、これ以上薄くできない状態まで薄くできた。
【００１７】
次に、本発明の給電装置Ａを取付ける学習家具について説明する。本実施形態の学習家具は、図１、図４及び図５に示したように、学習机Ａの天板２０の後部に机上棚Ｂを立起保持したものであり、前記机上棚Ｂは、本実施形態では下部棚２１と上部棚２２とを、積段連結及び分離可能となしたものであるが、一体型のものであっても何ら差し支えない。前記下部棚２１は、両側板１７，１７の後部間に背板１２を設けるとともに、両側板１７，１７の下部間で奥部に奥行幅の狭い補強棚２３を渡設するとともに、該補強棚２３の上方で一方の側板１７に接合した状態で本立２４を着脱可能に取付け、一方、他方の側板１７と該本立２４の間に小棚板２５を着脱可能且つ高さ変更可能に取付けたものである。前記補強棚２３は、略１００ｍｍの奥行幅があり、鉛筆削りや小さな本（文庫本）、鉛筆立て、ＣＤ、ＤＶＤ、カセットテープ、マスコット人形等を載せることができる。また、上部棚２２は、両側板２６，２６の後部間に背板２７を設けるとともに、両側板２６，２６間に上段棚板２８を固定し、該上段棚板２８の上位中央部には固定仕切板２９を取付け、その両側には左右に移動可能な可動仕切板３０を着脱自在に取付けている。
【００１８】
前記本立２４は、下部棚２１から取外して独立して天板２０等の板面に載置して使用可能であり、また小棚板２５と左右逆にして下部棚２１に取付けることが可能なもので、両側の側面板３１，３１間に載置板３２と背当り板３３を渡設するとともに、該載置板３２の上位に単又は複数の仕切板３４を左右移動可能に設け、更に前記載置板３２下方に引出し３５，３５を設けたものである。この本立２４を下部棚２１に取付けるには、前記補強棚２３の上位に両側面板３１，３１を載置した状態で前記背板１２の取付孔３６，３６を利用してネジ止めするのである。ここで、前記下部棚２１の側板１７の下端と前記補強棚２３の下面との間隔、即ち補強板２３と天板２０との間隔は、本実施形態では略５０ｍｍとしている。本発明において、「最下方の棚板」とは、前記補強棚２３のことを指している。
【００１９】
そして、前記給電装置Ｃは、図１、図４及び図５に示すように、前記下部棚２１の一方の側板１７の内面側であって、前記補強棚２３よりも下方の天板２０との間の狭い空間に取付けられている。前記側板１７へのボックス体１の取付けは、前述したように下部棚２１の側板１７の内面側に設けた前記凹部１８に前記突起１６を嵌合するとともに、外側から貫通孔１９に挿通した前記固定ネジ１４をタップ筒１５に螺合して前記取付面６を側板１７の内側面に引き付けて取付ける。前記ボックス体１は、左右何れの側板１７へも取付けることができる。尚、本発明においては、ボックス体１を他の板面に取付ける構造には限定不要であり、公知の各種の取付構造を採用できる。その取付状態において前記ボックス体１の前端は、前記側板１７、更には小棚板２５又は本立２４の前端よりも若干後退した位置に設けることが好ましい。その場合、コンセント５の差込口５Ａは、小棚板２５や本立２４の下面に隠れるので、上方からクリップ等の金属物が落下して差込口５Ａに接続したプラグの電極部をショートさせたり、また重量物が落下してプラグに当たり、コンセント５やプラグを損傷させることを防止できるのである。
【００２０】
前記照明器具１１は、机上棚Ｂの背面側に本体部１１Ａを取付け、該本体部１１Ａから延びて上部棚２２の背板２７の切欠部（図示せず）から前方へ延びたアーム１１Ｂで灯具１１Ｃを支持したものであり、該灯具１１Ｃを前記上段棚板２８の前縁下方に沿って配設している。また、この照明器具１１は、前記机上棚Ｂから分離して独立して使用できるものである。そして、この照明器具１１は、前述のように下部棚２１の背面側から前記コード挿通孔１３を通して前記給電装置Ｃの照明器具用コンセント８にプラグが接続されている。また、前記ボックス体１の後方に引き出された給電用電線７は、前記コード挿通孔１３を通して下部棚２１の背後に配線され、壁や床等に設けられたコンセントに接続する。
【００２１】
前記給電装置Ｃを側板１７に取付けた状態では、前記制御面９は正面に向いており、その制御面９に設けたスイッチ２を操作することは容易である。また、前記制御面９よりも後退した位置に形成した傾斜面４に設けたコンセント５の差込口５Ａに、学習机Ａの天板２０上に置いて又は机上棚Ｂにおいて使用する電気機器に給電するためのプラグを接続した状態では、該プラグから延びたコードが机上棚Ｂから前方へ大きく突出することがないので、天板２０上を広く使用することができる。例えば、学習机Ａの天板２０上にパソコンを設置した場合には、そのモニターにコードが当たる等の恐れがなく、パソコンを設置する位置における規制がなくなる。また、前記下部棚２１の小棚板２５を取り去って、その空間にパソコンのＣＲＴ等のモニターを設置する場合にも、前記プラグは傾斜面４の法線方向に向いているので、側板１７と本立２４の側面板３１間に十分な設置空間を確保できるのである。尚、前記補強棚２３は、奥行幅が１００ｍｍと狭く、また低い位置にあえうので、その前方にモニターを設置しても邪魔になることがないのである。
【００２２】
図６及び図７は、前記机上棚Ｂの変形例を示し、前述の実施形態と異なる部分は下部棚２１に設ける本立２４と小棚板２５の関係のみである。即ち、前述の実施形態では本立２４と小棚板２５とを左右にそれぞれ一つずつ配置したが、本実施形態では左右に前述のものより幅の狭い本立２４，２４を着脱可能に取付け、両本立２４，２４の側面板３１，３１間に前述のものより幅のせまい小棚板２５を着脱可能且つ高さ調節可能に取付けたものである。基本的な構造は前記同様であるので、同一構成には同一符号を付してその説明は省略する。本実施形態では、下部棚２１の両側板１７，１７に各本立２４，２４の外側の側面板３１を接合した状態で、前記同様に取付けている。そして、両本立２４，２４の対向する側面板３１，３１間にピンダボや線ダボ等によって取付けている。この場合、前記給電装置Ｃは、一方の本立２４の引出し３５の下方で学習机Ａの天板２０との狭い空間内に取付けられている。
【００２３】
また、図８及び図９に示したものは、本発明の給電装置Ｃを学習机Ａの脚板３７の外側面で、前記天板２０に接近した位置に前記同様に取付けたものである。尚、前記学習机Ａの両脚板３７，３７間の下部奥部には固定補強棚３８を渡設するとともに、その上方に着脱可能且つ高さ調節可能に可動棚板３９を取付け、前記机上棚Ｂから外した本立２４を、前記固定補強棚３８に載置した状態で取付けることも可能である。この場合、上方の可動棚板３９は、邪魔になれば取外すこともでき、その場合に下部棚２１に付け替えるようにすることも好ましい。
【００２４】
【発明の効果】
以上にしてなる請求項１に係る発明の学習家具の給電装置は、学習机等の学習家具の適所に設け、照明器具やコンセントに接続した電気機器に電力を供給するための給電装置であって、ボックス体の正面側にはスイッチとブレーカーを設けるとともに、該ボックス体の一側面側に正面方向へ傾斜した面を階段状に複数形成し且つ該傾斜面にそれぞれコンセントの差込口を１個設け、該ボックス体の他側面側を取付面としたので、複数の電気機器に電力を安全に供給することができ、しかもボックス体をコンパクトに形成することができ、それによって上下幅が狭い空間にも取付けることができるとともに、正面方向へ傾斜した傾斜面にコンセントの差込口を設けたので、電気機器のプラグの抜き差し作業を容易に行うことができるのである。
【００２５】
請求項２によれば、ボックス体の背面側に、給電用電線と、スイッチによって入切制御された照明器具用のコンセントの差込口を設けたので、通常は頻繁に抜き差ししない照明器具に接続されるコードのプラグを、正面側からの作業によって照明器具用のコンセントの差込口に接続することができ、また給電用電線の引き回しもスッキリとする。
【００２６】
請求項３によれば、学習机の後部に設けた机上棚の側板内面に、ボックス体の取付面を当接した状態で取付けてなるので、コンセントの差込口に、机上棚や天板上に設置した電気鉛筆削機等の電気機器のプラグを差し込んで給電することができ、またプラグの抜き差し作業も容易にできるのである。
【００２７】
請求項４によれば、学習机の天板と机上棚の最下方の棚板との間の空間であって、机上棚の側板内面にボックス体を取付けてなるので、天板上面の通常の使用には全く邪魔になることがなく、また上下幅が非常に狭い空間にも取付けることができるので、机上棚の収納空間を狭めることがないのである。
【図面の簡単な説明】
【図１】本発明に係る給電装置を取付けた棚付き学習机の全体正面図である。
【図２】本発明に係る給電装置の斜視図である。
【図３】同じく給電装置の内部機構を省略した横断平面図である。
【図４】給電装置を取付けた机上棚の正面図である。
【図５】同じく図４のＸ−Ｘ線断面図である。
【図６】給電装置を取付けた他の机上棚の正面図である。
【図７】同じく図６のＹ−Ｙ線断面図である。
【図８】給電装置を取付けた学習机の正面図である。
【図９】同じく学習机の側面図である。
【符号の説明】
Ａ  学習机          Ｂ  机上棚
Ｃ  給電装置
１  ボックス体      ２  スイッチ
３  ブレーカー      ４  傾斜面
５  コンセント      ５Ａ  差込口
６  取付面          ７  給電用電線
８  コンセント      ８Ａ  差込口
９  制御面          １０  傾斜面
１１  照明器具      １２  背板
１３  コード挿通孔  １４  固定ネジ
１５  タップ筒      １６  突起
１７  側板          １８  凹部
１９  貫通孔        ２０  天板
２１  下部棚        ２２  上部棚
２３  補強棚        ２４  本立
２５  棚板          ２６  側板
２７  背板          ２８  上段棚板
２９  固定仕切板    ３０  可動仕切板
３１  側面板        ３２  載置板
３３  背当り板      ３４  仕切板
３５  引出し        ３６  取付孔
３７  脚板          ３８  固定補強棚
３９  可動棚板
【図１】
2004336829.tif 000003
【図２】
2004336829.tif 000004
【図３】
2004336829.tif 000005
【図４】
2004336829.tif 000006
【図５】
2004336829.tif 000007
【図６】
2004336829.tif 000008
【図７】
2004336829.tif 000009
【図８】
2004336829.tif 000010
【図９】
2004336829.tif 000011